(57)【特許請求の範囲】
【請求項１】
ディジタルブロードキャスティングシステムにおけるブロードキャストサービスの受信のためのサービスガイド情報を送信する方法であって、
ブロードキャストサービスデータ、前記ブロードキャストサービスデータが送信される送信ネットワークに関する情報、及び前記送信ネットワークに隣接した送信ネットワークに関する情報を含むサービスガイド情報を生成するステップと、
インターネットプロトコル（ＩＰ）階層の上位階層で前記サービスガイド情報を送信するステップと
を有することを特徴とする送信方法。
【請求項２】
ディジタルブロードキャスティングシステムにおけるブロードキャストサービスの受信のためのサービスガイド情報を送信する装置であって、
ブロードキャストサービスデータ、前記ブロードキャストサービスデータが送信される送信ネットワークに関する情報、及び前記送信ネットワークに隣接した送信ネットワークに関する情報を含むサービスガイド情報を生成する生成部と、
インターネットプロトコル（ＩＰ）階層の上位階層で前記サービスガイド情報を送信する送信部と
を有することを特徴とする送信装置。
【請求項３】
ディジタルブロードキャスティングシステムにおけるブロードキャストサービスの受信のためのサービスガイド情報を受信する方法であって、
インターネットプロトコル（ＩＰ）階層の上位階層でサービスガイド情報を受信するステップと、
前記サービスガイド情報に含まれたブロードキャストサービスデータ、前記ブロードキャストサービスデータが送信される送信ネットワークに関する情報、及び前記送信ネットワークに隣接した送信ネットワークに関する情報をチェックするステップと
を有することを特徴とする受信方法。
【請求項４】
ディジタルブロードキャスティングシステムにおけるブロードキャストサービスの受信のためのサービスガイド情報を受信する装置であって、
インターネットプロトコル（ＩＰ）階層の上位階層でサービスガイド情報を受信する受信部と、
前記サービスガイド情報に含まれたブロードキャストサービスデータ、前記ブロードキャストサービスデータが送信される送信ネットワークに関する情報、及び前記送信ネットワークに隣接した送信ネットワークに関する情報をチェックする制御部と
を有することを特徴とする受信装置。
【請求項５】
前記ブロードキャストサービスデータが送信される送信ネットワークに関する情報は、前記送信ネットワークのデータ階層からアプリケーション階層までのネットワーク情報を含むことを特徴とする請求項１又は３に記載の方法。
【請求項６】
前記ブロードキャストサービスデータが送信される送信ネットワークに関する情報は、
ロバストヘッダ圧縮（ＲｏＨＣ）情報、前記ブロードキャストサービスデータと関連した一つ又は複数の物理階層パイプ（ＰＬＰｓ）に一つ又は複数のブロードキャストサービスコンポーネントをマッピングするための情報、及び前記一つ又は複数の物理階層パイプの物理パラメータをさらに含むことを特徴とする請求項５に記載の方法。
【請求項７】
前記ＲｏＨＣ情報は、各ブロードキャストサービスコンポーネントを示すユニフォームリソースロケータ（ＵＲＬ）＿バイト値、又は前記各ブロードキャストサービスコンポーネントが送信されるＩＰチャネルを示すＩＰアドレス及びポート番号のテキストバイトフィールド（ＵＲＬ＿バイト又はＩＰアドレス＋ポート番号）を含むことを特徴とする請求項６に記載の方法。
【請求項８】
前記複数の物理階層パイプの物理パラメータは、前記複数の物理階層パイプの２つの連続フレーム間の時間（Ｔ＿ＩＮＴ＿ＡＰＬＰＦ）を示すフィールドを含み、
前記時間は、ミリ秒又は直交周波数分割多重化（ＯＦＤＭ）シンボルで示されることを特徴とする請求項６に記載の方法。
【請求項９】
前記送信ネットワークと隣接した送信ネットワークに関する情報は、受信部が前記ブロードキャストサービスデータを受信するセル及び隣接セルに関するネットワーク情報と前記ブロードキャストサービスデータの受信を可能にする物理階層情報とを含むことを特徴とする請求項１又は３に記載の方法。
【請求項１０】
前記送信ネットワークに隣接した送信ネットワークに関する情報は、前記セル及び前記隣接セルに対する送信ネットワークのネットワークＩＤを示すフィールド、前記セル及び前記隣接セルのセルＩＤを示すフィールド、前記セルに存在する無線周波数の数を示すフィールド、前記無線周波数のＩＤを示すフィールド、前記無線周波数の送信帯域を示すフィールド、送信モードを示すフィールド、直交周波数分割多重化（ＯＦＤＭ）セル間のガードインターバルを示すフィールド、システムで使用される共通クロックの識別子を示すフィールド、イン−バンドシグナリングの使用／非使用を示すフィールド、ＯＦＤＭセルの数に対応する現在のスロット長さを示すフィールド、現在のスロットと次のスロット間の間隔の数を示すフィールド、ディジタルブロードキャスティングシステムにおける低雑音変換器（ＬＮＣ）の数を示すフィールド、メイン無線周波数を示すフィールド、現在のＬＮＣでの一つ又は複数の物理階層パイプの数を示すフィールド、及び前記一つ又は複数の物理階層パイプのＩＤを示すフィールドをさらに含むことを特徴とする請求項９に記載の方法。
【請求項１１】
前記ブロードキャストサービスデータが送信される送信ネットワークに関する情報は、前記送信ネットワークのデータ階層からアプリケーション階層までのネットワーク情報を含むことを特徴とする請求項２又は４に記載の装置。
【請求項１２】
前記ブロードキャストサービスデータが送信される送信ネットワークに関する情報は、
ロバストヘッダ圧縮（ＲｏＨＣ）情報、前記ブロードキャストサービスデータと関連した一つ又は複数の物理階層パイプ（ＰＬＰｓ）に一つ又は複数のブロードキャストサービスコンポーネントをマッピングするための情報、及び前記一つ又は複数の物理階層パイプの物理パラメータをさらに含むことを特徴とする請求項１１に記載の装置。
【請求項１３】
前記ＲｏＨＣ情報は、各ブロードキャストサービスコンポーネントを示すユニフォームリソースロケータ（ＵＲＬ）＿バイト値、又は前記各ブロードキャストサービスコンポーネントが送信されるＩＰチャネルを示すＩＰアドレス及びポート番号のテキストバイトフィールド（ＵＲＬ＿バイト又はＩＰアドレス＋ポート番号）を含むことを特徴とする請求項１２に記載の装置。
【請求項１４】
前記複数の物理階層パイプの物理パラメータは、前記複数の物理階層パイプの２つの連続フレーム間の時間（Ｔ＿ＩＮＴ＿ＡＰＬＰＦ）を示すフィールドを含み、
前記時間は、ミリ秒又は直交周波数分割多重化（ＯＦＤＭ）シンボルで示されることを特徴とする請求項１２に記載の装置。
【請求項１５】
前記送信ネットワークと隣接した送信ネットワークに関する情報は、受信部が前記ブロードキャストサービスデータを受信するセル及び隣接セルに関するネットワーク情報と前記ブロードキャストサービスデータの受信を可能にする物理階層情報とを含むことを特徴とする請求項２又は４に記載の装置。
【請求項１６】
前記送信ネットワークに隣接した送信ネットワークに関する情報は、前記セル及び前記隣接セルに対する送信ネットワークのネットワークＩＤを示すフィールド、前記セル及び前記隣接セルのセルＩＤを示すフィールド、前記セルに存在する無線周波数の数を示すフィールド、前記無線周波数のＩＤを示すフィールド、前記無線周波数の送信帯域を示すフィールド、送信モードを示すフィールド、直交周波数分割多重化（ＯＦＤＭ）セル間のガードインターバルを示すフィールド、システムで使用される共通クロックの識別子を示すフィールド、イン−バンドシグナリングの使用／非使用を示すフィールド、ＯＦＤＭセルの数に対応する現在のスロット長さを示すフィールド、現在のスロットと次のスロット間の間隔の数を示すフィールド、ディジタルブロードキャスティングシステムにおける低雑音変換器（ＬＮＣ）の数を示すフィールド、メイン無線周波数を示すフィールド、現在のＬＮＣでの一つ又は複数の物理階層パイプの数を示すフィールド、及び前記一つ又は複数の物理階層パイプのＩＤを示すフィールドをさらに含むことを特徴とする請求項１５に記載の装置。
【発明の詳細な説明】
【技術分野】
【０００１】
本発明は、ディジタルブロードキャスティングシステムに関し、特に、ディジタルブロードキャスティングシステムにおけるブロードキャストサービスの受信のためのシグナリング情報を送受信する方法及び装置に関する。
【背景技術】
【０００２】
第２の世代モバイルブロードキャスト標準の一例は、ヨーロッパディジタルブロードキャスト標準団体であるディジタルビデオブロードキャスティング（Digital Video Broadcasting：ＤＶＢ）により確立された次世代ハンドヘルド（Next Generation Handheld：ＮＧＨ）である。ＤＶＢ−ＮＧＨは、地上波ブロードキャスティングネットワークと互換性を最大に保証するためのＭＰＥＧ２（Moving Picture Experts Group 2）転送ストリーム（Transport Stream：ＴＳ）基盤プロフィールと、次世代ブロードキャスティングネットワークのバックボーンネットワーク（backbone network）として使用されるものと予想されるインターネットプロトコル（ＩＰ）ネットワークと連動するためのＩＰプロフィールとを活用する。
【０００３】
ＭＰＥＧ２  ＴＳプロフィールは、ＭＰＥＧ２  ＴＳ標準及びＤＶＢ標準で使用されるプログラム特定情報／サービス情報（Program Specific Information/Service Information：ＰＳＩ／ＳＩ）技術を用いてブロードキャストサービスデータ、ブロードキャストサービスデータが送信される送信ネットワークに関する情報、及び送信ネットワークの物理階層情報を提供する。しかしながら、ＩＰプロフィールは、ＭＰＥＧ２  ＴＳ基盤ＰＳＩ／ＳＩを使用しないために、別途の方法を用いてブロードキャストサービスデータ、ブロードキャストサービスデータが送信される送信ネットワークに関する情報、及び送信ネットワークの物理階層情報（すなわち、シグナリング情報）を提供しなければならない。 
【発明の概要】
【発明が解決しようとする課題】
【０００４】
本発明の目的は、少なくとも上述した問題点及び／又は不都合に取り組み、少なくとも以下の利点を提供することにある。すなわち、本発明の目的は、ディジタルブロードキャスティングシステムにおけるブロードキャストサービスの受信のためのシグナリング情報を効率的に送受信する方法及び装置を提供することにある。
【０００５】
本発明の他の目的は、シグナリング情報をＩＰ基盤ネットワークを用いて効率的に送信する方法及び装置を提供することにある。
【０００６】
本発明のまた他の目的は、ディジタルブロードキャスティングシステムにおけるサービスガイドデリバリーディスクリプタ（ＳＧＤＤ）を用いてブロードキャストサービスの受信のためのシグナリング情報を送受信する方法及び装置を提供することにある。
【課題を解決するための手段】
【０００７】
上記のような目的を達成するために、本発明の一態様によれば、ディジタルブロードキャスティングシステムにおけるブロードキャストサービスの受信のためのシグナリング情報を送信する方法を提供する。上記方法は、ブロードキャストサービスデータ、上記ブロードキャストサービスデータが送信される送信ネットワークに関する情報、及び上記送信ネットワークに隣接した送信ネットワークに関する情報を含むサービスガイド情報を生成するステップと、インターネットプロトコル（ＩＰ）階層の上位階層で上記サービスガイド情報を送信するステップとを有することを特徴とする。
【０００８】
本発明の他の態様によれば、ディジタルブロードキャスティングシステムにおけるブロードキャストサービスの受信のためのシグナリング情報を送信する装置は、ブロードキャストサービスデータ、上記ブロードキャストサービスデータが送信される送信ネットワークに関する情報、及び上記送信ネットワークに隣接した送信ネットワークに関する情報を含むサービスガイド情報を生成する生成部と、インターネットプロトコル（ＩＰ）階層の上位階層で上記サービスガイド情報を送信する送信部とを有することを特徴とする。
【０００９】
本発明のさらに他の態様によれば、ディジタルブロードキャスティングシステムにおけるブロードキャストサービスの受信のためのシグナリング情報を受信する方法を提供する。インターネットプロトコル（ＩＰ）階層の上位階層でサービスガイド情報を受信するステップと、上記サービスガイド情報に含まれたブロードキャストサービスデータ、上記ブロードキャストサービスデータが送信される送信ネットワークに関する情報、及び上記送信ネットワークに隣接した送信ネットワークに関する情報をチェックするステップとを有することを特徴とする。
【００１０】
本発明のさらなる他の態様によれば、ディジタルブロードキャスティングシステムにおけるブロードキャストサービスの受信のためのシグナリング情報を受信する装置を提供する。上記装置は、インターネットプロトコル（ＩＰ）階層の上位階層でサービスガイド情報を受信する受信部と、上記サービスガイド情報に含まれたブロードキャストサービスデータ、上記ブロードキャストサービスデータが送信される送信ネットワークに関する情報、及び上記送信ネットワークに隣接した送信ネットワークに関する情報をチェックする制御部とを有することを特徴とする。
【００１１】
本発明によれば、ＩＰ基盤シグナリング方法を用いてＤＶＢ−ＮＧＨ  ＩＰプロフィールで必要とする送信ネットワーク及び送信ネットワーク物理階層のシグナリング情報を提供することにより、端末がシグナリング情報を効率的に受信することができる。
【００１２】
また、本発明によれば、ＤＶＢ−ＮＧＨ  ＩＰプロフィールで必要とする送信ネットワーク及び送信ネットワーク物理階層のシグナリング情報を効率的に構成する方法を提供することができる。
【００１３】
さらに、本発明によれば、ＤＶＢ−ＮＧＨ  ＩＰプロフィールで必要とする送信ネットワーク及び送信ネットワーク物理階層のシグナリング情報をサービスガイドデリバリーディスクリプタ（ＳＧＤＤ）を通して端末に提供することにより、端末がシグナリング情報を取得するまでの遅延時間を短縮させることができる。
【００１４】
本発明の上述した及び他の様相、特徴、及び利点は、以下の添付図面が併用された後述の詳細な説明から、より一層明らかになるだろう。
【図面の簡単な説明】
【００１５】
【図１】本発明の実施形態による携帯ブロードキャスティングシステムにおけるブロードキャストサービスを受信するためのブロードキャストサービスガイドの構成を示す図である。
【図２】本発明の実施形態によるＤＶＢ−ＮＧＨで定義するＮＧＨプロトコルの一例を示す構成図である。
【図３】本発明の実施形態によるＩＰプロフィールのシグナリング情報を送信する装置を示す図である。
【図４】本発明の実施形態によるＩＰプロフィールのシグナリング情報を受信する装置を示す図である。
【図５】本発明の実施形態によるＩＰプロフィールのシグナリング情報を送信する過程を示すフローチャートである。
【図６】本発明の実施形態によるＩＰプロフィールのシグナリング情報を受信する過程を示すフローチャートである。
【発明を実施するための形態】
【００１６】
本発明の様々な実施形態を、添付の図面を参照して詳細に説明する。図面中、同一の図面参照符号は、同一の構成要素、特性、及び構造を意味することが分かるはずである。添付の図面を参照した下記の説明は、特許請求の範囲の記載及びこれと均等なものの範囲内で定められるような本発明の実施形態の包括的な理解を助けるために提供されるものであり、この理解を助けるために様々な特定の詳細を含むが、単なる一つの実施形態に過ぎない。従って、本発明の範囲及び趣旨を逸脱することなく、ここに説明する実施形態の様々な変更及び修正が可能であるということは、当該技術分野における通常の知識を有する者には明らかである。また、明瞭性と簡潔性の観点から、当業者に良く知られている機能や構成に関する具体的な説明は、省略する。
【００１７】
以下、本発明の実施形態では、本発明が適用されることができるブロードキャスティング技術の中で、ＤＶＢ−ＮＧＨ及びモバイルブロードキャストアプリケーション階層標準であるオープンモバイルアライアンスモバイルブロードキャスティングサービス（Open Mobile Alliance Mobile Broadcasting Service：ＯＭＡ  ＢＣＡＳＴ）技術について例を挙げて説明するが、これによって本発明の範囲が限定されるものではない。
【００１８】
図１は、本発明の実施形態によるモバイルブロードキャスティングシステムにおけるブロードキャストサービスを受信するためのブロードキャストサービスガイドの構成を示す図である。具体的に、図１は、ブロードキャストサービスを端末に提供するためのブロードキャストサービスガイドのデータモデルを示す。
【００１９】
図１を参照すると、１つのブロードキャストサービスガイドは、個々の目的を有する複数のフラグメント（Fragment）を含み、それぞれのフラグメントは、その使用用途に従って４個の大きなグループに分割される。すなわち、ブロードキャストサービスガイドは、全ブロードキャストサービスガイドのペアレント（すなわち、上位−ランク）構成情報を提供する管理グループ１００と、ブロードキャストサービスを受信するための送信率（又は料金）情報を提供する供給グループ１１０と、ブロードキャストサービス、コンテンツ及びブロードキャスティングサービススケジュールのようなブロードキャストサービスガイドの核心情報を提供するコア（Core）グループ１２０と、ブロードキャストサービス又はコンテンツにアクセスするためのアクセス情報を提供するアクセス（Access）グループ１３０とを含む。図１において、各フラグメントを接続する実線は、各フラグメント間の相互参照を意味する。
【００２０】
管理グループ１００は、端末がブロードキャストサービスガイドを受信するための基本情報を提供するグループであり、ブロードキャストサービスガイドデリバリーディスクリプタ（Service Guide Delivery Descriptor：以下、“ＳＧＤＤ”と称する）１０１を含む。ＳＧＤＤ１０１は、複数のブロードキャストサービスガイドフラグメントを受信することができるチャネル、スケジュール情報、及び更新情報を端末に提供することにより、端末が必要なサービスガイドだけを適合した時間に受信することができるようにする情報を提供する。
【００２１】
供給グループ１１０は、ブロードキャストサービスの受信のための料金情報を提供するグループであり、購買アイテム（Purchase Item）フラグメント１１１、購買データ（Purchase data）フラグメント１１２、及び購買チャネル（Purchase channel）フラグメント１１３を含む。購買アイテムフラグメント１１１は、ブロードキャストサービス、コンテンツ、及び時間などのバンドルに関する料金情報をユーザに提供し、ユーザが所望する購買アイテムに加入するか又は購買することができるように助ける。購買データフラグメント１１２は、ユーザがどの方法を通して料金を支払うことができるかを示す情報を提供する。購買チャネルフラグメント１１３は、ブロードキャストサービスに加入するか又は購買するためのアクセス情報を提供する。
【００２２】
コアグループ１２０は、ブロードキャストサービス自体に関する情報を提供する。コアグループ１２０は、サービスフラグメント１２１、スケジュールフラグメント１２２、及びコンテンツフラグメント１２３を含む。サービスフラグメント１２１は、ブロードキャストサービスガイドのコア又はブロードキャストサービスに含まれるコンテンツのペアレント（すなわち、上位）集合体であり、ブロードキャストサービスの内容（シンプシス）、ジャンル、及びサービスエリアに関する情報を提供する。スケジュールフラグメント１２２は、例えば、ストリーミング及びダウンローディングのようなブロードキャストサービスに含まれる各コンテンツに関する時間情報を提供する。コンテンツフラグメント１２３は、ブロードキャストされるコンテンツに関する詳細な説明、ターゲットユーザグループ、サービスエリア、及びジャンルに関する情報を提供する。
【００２３】
アクセスグループ１３０は、アクセスフラグメント１３１及びセッションディスクリプション（Session Description）フラグメント１３２を含む。アクセスグループ１３０は、ユーザがコアグループ１２０のブロードキャストサービスをどのように受信することができるかを示すブロードキャストサービスアクセス情報及びブロードキャストサービスを構成しているコンテンツが送信されるセッションに関する具体的な情報を提供することにより端末がブロードキャストサービスに対するアクセスが可能であるようにする。
【００２４】
アクセスフラグメント１３１は、ブロードキャストサービスへのアクセスを可能にするためのアクセス関連情報を提供し、関連するアクセスセッションに対する送信方法及びセッション情報を提供する。セッションディスクリプションフラグメント１３２は、アクセスフラグメント１３１に含まれることができ、端末が対応するセッションディスクリプション情報を確認することができるようにユニフォームリソース識別子（Uniform Resource Identifier：ＵＲＩ）の形態で位置情報を提供することができる。また、セッションディスクリプションフラグメント１３２は、対応するセッションに存在するコンテンツに関するアドレス情報及びコーデック情報を提供する。
【００２５】
また、ブロードキャストサービスガイドは、４個のグループにプレビューデータ（Preview data）フラグメント１２４及びインタラクティブデータ（interactive data）フラグメント１２５をさらに含む。プレビューデータフラグメント１２４は、ブロードキャストサービス及びコンテンツに対するプレビュー及びアイコンを提供し、インタラクティブデータフラグメント１２５は、ユーザが参加することができるインタラクティブブロードキャストサービスに関する情報を提供する。
【００２６】
図２は、本発明の実施形態によるＤＶＢ−ＮＧＨで定義するＮＧＨプロトコルの一例を示す構成図である。インターネットプロトコル（ＩＰ）プロフィールのシグナリング情報は、ＩＰ階層２０５の上位階層で送受信される。
【００２７】
図２を参照すると、ＤＶＢ−ＮＧＨ物理階層２０１は、ビットストリームを適切な変調方式を使用して送信し、階層１（Ｌ１）シグナリング２０２を送信する。Ｌ１シグナリング２０２は、端末がＤＶＢ−ＮＧＨへのアクセス又はＤＶＢ−ＮＧＨからの解除のために使用する情報のような、物理階層で使用する情報を提供する。参照符号２０３及び２０４は、物理階層の上位階層を示し、その上位階層から受信されたデータは、カプセル化（Encapsulation）過程を通して基底帯域（ＢＢ）フレームに変換される。
【００２８】
ブロードキャストサービスデータ２０６（例えば、図１と関連して説明されたブロードキャストサービスガイド）と、ブロードキャストサービスデータが送信される送信ネットワークのデータ階層からアプリケーション階層までのネットワーク情報を含む上位階層情報（Upper Layer Information：ＵＬＩ）２０７と、ＩＰ階層２０５の上位階層に含まれる送信ネットワークに隣接した送信ネットワークに関する情報を含む隣接するマルチプレックス情報（Neighboring Multiplexes Information：ＮＭＩ）２０８とを含む。ＵＬＩ２０７及びＮＭＩ２０８は、ＩＰプロフィールのシグナリング情報を含む。ＩＰプロフィールのシグナリング情報は、ＩＰ階層２０５の下位階層に存在する情報を受信するために使用される。
【００２９】
ＵＬＩ２０７は、すべてのＩＰストリームのＩＰヘッダを圧縮して送受信するためのロバストヘッダ圧縮（Robust Header Compression：ＲｏＨＣ）情報、物理階層パイプ（Physical Layer Pipe：ＰＬＰ）にブロードキャストサービスコンポーネントをマッピングするための情報、及びブロードキャストサービスと関連した複数のＰＬＰの物理パラメータを含む。例えば、ＵＬＩ２０７は、下記の表１に示すようなシンタックス（syntax）を含むことができる。
【００３０】
【表１】
0005944494.tif 000002
【００３１】
ＵＬＩ２０７に含まれるＲｏＨＣ情報は、ユニフォームリソースロケータ（Uniform Resource Locator：ＵＲＬ）長さフィールド、‘ＵＲＬ＿バイト又はＩＰアドレス＋ポート番号（URL_byte or IP address+port number）’フィールド、コンテキスト識別子（context identification（ＣＩＤ））フィールド、コンテキストプロフィール（context rofile）フィールド、静的情報長さ（static_info_length）フィールド、及び静的チェーンバイト（static chain byte）フィールドを含む。複数のＰＬＰにブロードキャストサービスコンポーネントをマッピングするための情報は、アンカーフラグ（Anchor flag）フィールド、ＰＬＰ  ｉｄフィールド、多入力多出力（Multiple Input Multiple Output：ＭＩＭＯ）モードフィールド、及び将来の使用のために予約されている（Reserved For Future Use：ＲＦＵ）フィールドを含む。ブロードキャストサービスと関連した複数のＰＬＰの物理パラメータは、Ｔ＿ＩＮＴ＿ＡＰＬＰＦフィールド及びＢＳ＿ＡＰＬＰＦフィールドを含む。
【００３２】
表１の各フィールドは、下記の表２のように定義される。
【００３３】
【表２】
0005944494.tif 000003
【００３４】
表２のＣＩＤフィールドにおいて、小さなＣＩＤ又は大きなＣＩＤは、ＲｏＨＣ情報のために使用される。ここで、小さなＣＩＤは、１と１５との間の１つのオクテットを有し、大きさＣＩＤは、１と１６３８３との間の１つ又は２つのオクテットを有する。ＣＩＤのサイズは、下記の規則により決定される。
【００３５】
−  ＣＩＤ値が‘１１１０’から始まる場合：小さなＣＩＤは、ＲｏＨＣ情報のために使用され、コンテキストサイズは、１オクテットであり、ＣＩＤは、４ビットを有する。
【００３６】
−  ＣＩＤ値が‘０’から始まる場合：大きなＣＩＤは、ＲｏＨＣ情報のために使用され、コンテキストサイズは、１オクテットであり、ＣＩＤは、７ビットを有する。
【００３７】
−  ＣＩＤ値が‘１０’から始まる場合：大きなＣＩＤは、ＲｏＨＣ情報のために使用され、コンテキストサイズは、２オクテットであり、ＣＩＤは、１４ビットを有する。
【００３８】
ＩＰストリームを圧縮するのに使用されるプロトコルの範囲は、表２のフィールドの中で、コンテキストプロフィールフィールドを通してＲｏＨＣ情報のために通知される。静的チェーンバイトフィールドは、ＲｏＨＣ情報に基づいて圧縮されたＩＰストリームを初期化するために使用され、静的チェーンバイトフィールドのサイズ及び構造は、コンテキストプロフィールに基づく。
【００３９】
表２のＴ＿ＩＮＴ＿ＡＰＬＰＦフィールドに基づいて、受信器は、時間期間の間に、前に割り当てられたＰＬＰフレームを処理することができるか否か及び関連する複数のＰＬＰの次のフレームの処理のためのバッファ空間を計算することができる。
【００４０】
ＮＭＩ２０８は、端末がブロードキャストサービスを受信するセル及び隣接セルに関するネットワーク情報とブロードキャストサービスの迅速な受信を可能にする物理階層情報とを含む。例えば、ＮＭＩ２０８は、下記の表３に示すようなシンタックスを含む。
【００４１】
【表３】
0005944494.tif 000004
【００４２】
表３の各フィールドは、下記の表４のように定義される。
【００４３】
【表４】
0005944494.tif 000005
【００４４】
ＵＬＩ２０７及びＮＭＩ２０８は、ＳＧＤＤに含まれて送受信される。
【００４５】
図３は、本発明の実施形態によるＩＰプロフィールのシグナリング情報を送信する装置を示す図である。
【００４６】
図３を参照すると、シグナリング情報生成部３１０は、送信ネットワークのデータ階層からアプリケーション階層までのネットワーク情報を含むＵＬＩ２０７及び隣接した送信ネットワークに関する情報を含むＮＭＩ２０８を生成する。すなわち、シグナリング情報生成部３１０は、表１に示すように、すべてのＩＰストリームのためのＲｏＨＣ情報、複数のＰＬＰにブロードキャストサービスコンポーネントをマッピングするための情報、及びブロードキャストサービスと関連した複数のＰＬＰの物理パラメータを含むＵＬＩ２０７を生成し、表３に示すように、端末がブロードキャストサービスを受信するセル及び隣接セルに関するネットワーク情報とブロードキャストサービスの迅速な受信のための物理階層情報とを含むＮＭＩ２０８を生成する。
【００４７】
ＳＧＤＤ生成部３３０は、ＵＬＩ２０７及びＮＭＩ２０８を含むＳＧＤＤを生成し、ＳＧＤＤ送信部３５０は、この生成されたＳＧＤＤを受信装置に送信する。
【００４８】
一方、図３において、シグナリング情報生成部３１０、ＳＧＤＤ生成部３３０、及びＳＧＤＤ送信部３５０が別途のユニットで実現されるとしても、１個のユニットでも実現可能であることは、当業者には理解できるものである。
【００４９】
図４は、本発明の実施形態によるＩＰプロフィールのシグナリング情報を受信する装置を示す図である。
【００５０】
図４を参照すると、ＳＧＤＤ受信部４１０は、送信装置から送信されたＳＧＤＤを受信し、これをＳＧＤＤ分解部４３０に送信する。ＳＧＤＤ分解部４３０は、受信されたＳＧＤＤからＩＰプロフィールのシグナリング情報を含むＵＬＩ２０７及びＮＭＩ２０８を分解し、ＵＬＩ２０７及びＮＭＩ２０８をシグナリング情報分析部４５０に送信する。
【００５１】
シグナリング情報分析部４５０は、ＵＬＩ２０７及びＮＭＩ２０８の各々を分析することにより、ＵＬＩ２０７に含まれた送信ネットワークのデータ階層からアプリケーション階層までのネットワーク情報をチェックし、ＮＭＩ２０８に含まれた隣接した送信ネットワークに関する情報をチェックする。すなわち、シグナリング情報分析部４５０は、ＵＬＩ２０７に含まれたすべてのＩＰストリームのためのＲｏＨＣ情報と、複数のＰＬＰにサービスコンポーネントをマッピングするための情報と、ブロードキャストサービスと関連した複数のＰＬＰの物理パラメータとをチェックし、ＮＭＩ２０８に含まれた端末がブロードキャストサービスを受信するセル及び隣接セルに関するネットワーク情報とブロードキャストサービスの迅速な受信を可能にする物理階層情報とをチェックする。
【００５２】
図４では、ＳＧＤＤ受信部４１０、ＳＧＤＤ分解部４３０、及びシグナリング情報分析部４５０が別途のユニットで実現されるとしても、１個のユニットでも実現可能であることは、当業者には理解できるものである。また、ＳＧＤＤ分解部４３０及びシグナリング情報分析部４５０は、１個の制御部として実現されることができる。
【００５３】
図５は、本発明の実施形態によるＩＰプロフィールのシグナリング情報を送信する過程を示すフローチャートである。
【００５４】
図５を参照すると、ステップ５１０において、シグナリング情報生成部３１０は、上記の表１に示すように、すべてのＩＰストリームのためのＲｏＨＣ情報と、ブロードキャストサービスコンポーネントを複数のＰＬＰにマッピングするための情報と、ブロードキャストサービスと関連した複数のＰＬＰの物理パラメータとを含むＵＬＩ２０７を生成する。ステップ５３０において、シグナリング情報生成部３１０は、上記の表３に示すように、端末がブロードキャストサービスを受信するセル及び隣接セルに関するネットワーク情報とブロードキャストサービスの迅速な受信を可能にする物理階層情報とを含むＮＭＩ２０８を生成する。
【００５５】
ステップ５５０において、ＳＧＤＤ生成部３３０は、生成されたＵＬＩ２０７及びＮＭＩ２０８を含むＳＧＤＤを生成する。ステップ５７０において、ＳＧＤＤ送信部３５０は、この生成されたＳＧＤＤを受信装置に送信する。
【００５６】
一方、ＵＬＩ生成ステップ（ステップ５１０）及びＮＭＩ生成ステップ（ステップ５３０）は、相互に順序を変更することができる。
【００５７】
図６は、本発明の実施形態によるＩＰプロフィールのシグナリング情報を受信する過程を示すフローチャートである。
【００５８】
図６を参照すると、ステップ６１０において、ＳＧＤＤ受信部４１０は、送信装置から送信されたＳＧＤＤを受信し、ステップ６３０において、ＳＧＤＤ分解部４３０は、受信されたＳＧＤＤからＩＰプロフィールのシグナリング情報を含むＵＬＩ２０７及びＮＭＩ２０８を分解する。ステップ６５０において、シグナリング情報分析部４５０は、ＵＬＩ２０７及びＮＭＩ２０８の各々を分析し、ＵＬＩ２０７に含まれたすべてのＩＰストリームのためのＲｏＨＣ情報と、複数のＰＬＰにサービスコンポーネントをマッピングするための情報と、ブロードキャストサービスと関連した複数のＰＬＰの物理パラメータとをチェックし、ＮＭＩ２０８に含まれた端末がブロードキャストサービスを受信するセル及び隣接セルに関するネットワーク情報とブロードキャストサービスの迅速な受信を可能にする物理階層情報とをチェックする。
【００５９】
予約すると、本発明の実施形態に従って、ＤＶＢ−ＮＧＨでＩＰプロフィールのシグナリング情報をＳＧＤＤを通して受信装置（例えば、端末）に提供し、受信装置がシグナリング情報を取得するまでの遅延時間を短縮させることができる。
【００６０】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきものである。
【符号の説明】
【００６１】
１００  管理グループ
１０１  ブロードキャストサービスガイドデリバリーディスクリプタ（Ｓｅｒｖｉｃｅ  Ｇｕｉｄｅ  Ｄｅｌｉｖｅｒｙ  Ｄｅｓｃｒｉｐｔｏｒ：以下、“ＳＧＤＤ”と称する）
１１０  供給グループ
１１１  購買アイテム（Ｐｕｒｃｈａｓｅ  Ｉｔｅｍ）フラグメント
１１１  購買アイテムフラグメント
１１２  購買データ（Ｐｕｒｃｈａｓｅ  ｄａｔａ）フラグメント
１１２  購買データフラグメント
１１３  購買チャネル（Ｐｕｒｃｈａｓｅ  ｃｈａｎｎｅｌ）フラグメント
１１３  購買チャネルフラグメント
１２０  グループ
１２０  コアグループ
１２１  サービスフラグメント
１２２  スケジュールフラグメント
１２３  コンテンツフラグメント
１２４  プレビューデータ（Ｐｒｅｖｉｅｗ  ｄａｔａ）フラグメント
１２４  プレビューデータフラグメント
１２５  インタラクティブデータ（ｉｎｔｅｒａｃｔｉｖｅ  ｄａｔａ）フラグメント
１２５  インタラクティブデータフラグメント
１３０  アクセス（Ａｃｃｅｓｓ）グループ
１３０  アクセスグループ
１３１  アクセスフラグメント
１３２  セッションディスクリプション（Ｓｅｓｓｉｏｎ  Ｄｅｓｃｒｉｐｔｉｏｎ）フラグメント
１３２  セッションディスクリプションフラグメント
２０１  ＤＶＢ−ＮＧＨ物理階層
２０２  シグナリング
２０３  参照符号
２０５  階層
２０６  ブロードキャストサービスデータ
２０７  上位階層情報（Ｕｐｐｅｒ  Ｌａｙｅｒ  Ｉｎｆｏｒｍａｔｉｏｎ：ＵＬＩ）
２０８  マルチプレックス情報（Ｎｅｉｇｈｂｏｒｉｎｇ  Ｍｕｌｔｉｐｌｅｘｅｓ  Ｉｎｆｏｒｍａｔｉｏｎ：ＮＭＩ）
３１０  シグナリング情報生成部
３１０、ＳＧＤＤ  シグナリング情報生成部
３３０  生成部
３５０  送信部
４１０  受信部
４１０、ＳＧＤＤ  受信部
４３０  分解部
４５０  シグナリング情報分析部
【図１】
0005944494.tif 000006
【図２】
0005944494.tif 000007
【図３】
0005944494.tif 000008
【図４】
0005944494.tif 000009
【図５】
0005944494.tif 000010
【図６】
0005944494.tif 000011